(57)【要約】【課題】  製造が簡単で重量も軽く、受信性能の高いアンテナ装置を提供する。【解決手段】  誘電体からなる保持部材１０と、この保持部材１０の外表面に配置される銅系の金属材料からなる薄板状の電極部１１とを備えたチップ形状のアンテナ装置６である。従って、幅広い周波数の電波に対応することができ、これにより人口衛星などからの電波を受信しやすく、居場所を特定するＧＰＳ用として良好に用いることができる。また、保持部材１０の外表面に電極装着部１２を凹部形状に形成し、この電極装着部１２に電極部１１を嵌着させて固定した。従って、圧入により簡単に電極部１１を保持部材１０の電極装着部１２に固定できる。このため、製作が簡単で重量も軽いばかりか、誘電率の変化が激しい両面接着テープや接着剤を用いていないので、受信性能の高いものが得られる。【選択図】        図３
2006287369.tif 000002
【特許請求の範囲】
【請求項１】
誘電体からなる保持部材と、この保持部材の外表面に配置される金属材料からなる薄板状の電極部とを備えたチップ形状のアンテナ装置であって、
前記保持部材の外表面には電極装着部が凹部形状に形成され、この電極装着部には前記電極部が嵌着により固定されていることを特徴とするアンテナ装置。
【請求項２】
前記保持部材の内部には、空洞が形成されていると共に、前記電極部の一部を保持するための保持壁が形成されていることを特徴とする請求項１に記載のアンテナ装置。
【請求項３】
前記電極部は、アンテナ電極とグランド電極とを備え、これらが前記保持部材の異なる面に所定距離を隔ててそれぞれ固定されていることを特徴とする請求項１または２に記載のアンテナ装置。
【請求項４】
前記保持部材の外表面には傾斜面が形成され、この傾斜面にも前記電極装着部が設けられていることを特徴とする請求項１〜３のいずれかに記載のアンテナ装置。
【請求項５】
前記電極部は、渦巻き形状に形成されていることを特徴とする請求項１〜４のいずれかに記載のアンテナ装置。
【請求項６】
前記保持部材は、その両端部がそれぞれ斜めに切り落とされて平面形状がほぼ台形状に形成されていることを特徴とする請求項１〜５のいずれかに記載のアンテナ装置。
【請求項７】
前記保持部材には、機器ケースの内周面に形成されたアンテナ収納部内に前記保持部材を浮かした状態で位置決めする位置決め部が設けられていることを特徴とする請求項１〜６のいずれかに記載のアンテナ装置。
【請求項８】
誘電体からなる保持部材の外表面に金属材料からなる薄板状の電極部を設けるチップ形状のアンテナ装置の製造方法であって、
前記保持部材の外表面に電極装着部を凹部形状に形成し、この電極装着部に前記電極部を圧入により嵌着させて固定することを特徴とするアンテナ装置の製造方法。
【請求項９】
前記電極部は、アンテナ電極とグランド電極とを備えており、これらアンテナ電極とグランド電極とを前記保持部材の異なる面に所定距離を隔ててそれぞれ個別に固定することを特徴とする請求項８に記載のアンテナ装置の製造方法。
【発明の詳細な説明】
【技術分野】
【０００１】
この発明は、電子腕時計などの携帯型の電子機器に用いられるアンテナ装置に関し、更に詳しくはＧＰＳ（グローバル・ポジショニング・システム）に用いられるチップ形状のアンテナ装置およびその製造方法に関する。
【背景技術】
【０００２】
例えば、電子腕時計においては、アンテナ装置を内蔵した電波時計がある。この種の電子腕時計は、特許文献１に記載されているように、合成樹脂製の腕時計ケースの外周部にバンド取付部を外側に突出させて設け、この突出したバンド取付部内にアンテナ収納部を設け、このアンテナ収納部内にアンテナ装置を収納した構成になっている。この場合、アンテナ装置は、バーアンテナであり、コアの外周にコイルを巻き付けた構成になっている。
【特許文献１】特開２００２−９８７８０号
【発明の開示】
【発明が解決しようとする課題】
【０００３】
しかしながら、このような従来のアンテナ装置では、コアの外周にコイルを巻き付けた構成であるから、幅広い周波数の電波に対応することが難しく、このため人口衛星などからの電波を受信して居場所を特定するＧＰＳ用としては不向きであるばかりか、コアの外周にコイルを巻き付けなければならないため、その製作が面倒で、製造コストも高く、重量も重いという問題がある。
【０００４】
この発明が解決しようとする課題は、製造が簡単で重量も軽く、受信性能の高いアンテナ装置およびその製造方法を提供することである。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
【０００６】
請求項１に記載の発明は、図１〜図１７に示すように、誘電体からなる保持部材（１０、２１、３１）と、この保持部材の外表面に配置される金属材料からなる薄板状の電極部（１１、２２、３２）とを備えたチップ形状のアンテナ装置であって、
前記保持部材の外表面には電極装着部（１２、２５、３５）が凹部形状に形成され、この電極装着部には前記電極部が嵌着により固定されていることを特徴とするアンテナ装置（６、２０、３０、４０）である。
【０００７】
請求項２に記載の発明は、図１〜図７に示すように、前記保持部材（１０）の内部に、空洞（１３）が形成されていると共に、前記電極部（１１）の一部を保持するための保持壁（１４）が形成されていることを特徴とする請求項１に記載のアンテナ装置である。
【０００８】
請求項３に記載の発明は、図１〜図１７に示すように、前記電極部（１１、２２、３２）が、アンテナ電極（１５、３６）とグランド電極（１６、３７）とを備え、これらが前記保持部材（１０、２１、３１）の異なる面に所定距離を隔ててそれぞれ固定されていることを特徴とする請求項１または２に記載のアンテナ装置である。
【０００９】
請求項４に記載の発明は、図８〜図１７に示すように、前記保持部材（２１、３１）の外表面に傾斜面（２３、３３）が形成され、この傾斜面にも前記電極装着部（２５、３５）が設けられていることを特徴とする請求項１〜３のいずれかに記載のアンテナ装置である。
【００１０】
請求項５に記載の発明は、図１１〜図１７に示すように、前記電極部（３２）が、渦巻き形状に形成されていることを特徴とする請求項１〜４のいずれかに記載のアンテナ装置である。
【００１１】
請求項６に記載の発明は、図１１〜図１７に示すように、前記保持部材（３１）が、その両端部をそれぞれ斜めに切り落として平面形状がほぼ台形状に形成されていることを特徴とする請求項１〜５のいずれかに記載のアンテナ装置である。
【００１２】
請求項７に記載の発明は、図１５〜図１７に示すように、前記保持部材（３１）には、機器ケース（腕時計ケース１）の内周面に形成されたアンテナ収納部（５）内に前記保持部材を浮かした状態で位置決めする位置決め部（４１）が設けられていることを特徴とする請求項１〜６のいずれかに記載のアンテナ装置である。
【００１３】
請求項８に記載の発明は、図１〜図１７に示すように、誘電体からなる保持部材（１０、２１、３１）の外表面に金属材料からなる薄板状の電極部（１１、２２、３２）を設けるチップ形状のアンテナ装置の製造方法であって、
前記保持部材の外表面に電極装着部（１２、２５、３５）を凹部形状に形成し、この電極装着部に前記電極部を圧入により嵌着させて固定することを特徴とするアンテナ装置の製造方法である。
【００１４】
請求項９に記載の発明は、図１〜図１７に示すように、前記電極部（１１、２２、３２）がアンテナ電極（１５、３６）とグランド電極（１６、３７）とを備えており、これらアンテナ電極とグランド電極とを前記保持部材（１０、２１、３１）の異なる面に所定距離を隔ててそれぞれ個別に固定することを特徴とする請求項８に記載のアンテナ装置の製造方法である。
【発明の効果】
【００１５】
請求項１に記載の発明によれば、誘電体からなる保持部材と、この保持部材の外表面に配置される金属材料からなる薄板状の電極部とを備えたチップ形状のアンテナ装置であるから、幅広い周波数の電波に対応することができ、これにより人工衛星などからの電波を受信しやすく、居場所を特定するＧＰＳ用として良好に用いることができるほか、特に保持部材の外表面に電極装着部が凹部形状に形成され、この電極装着部に電極部が嵌着により固定されているので、両面接着テープや接着剤を用いずに、圧入などにより簡単に電極部を保持部材の電極装着部に嵌着させて固定することができる。このため、従来例のようにコアにコイルを巻き付けた構成のアンテナ装置に比べて、その製作が簡単で重量も軽いばかりか、誘電率の変化が激しい両面接着テープや接着剤を用いていないので、受信性能の高いものを得ることができる。
【００１６】
請求項２に記載の発明によれば、保持部材の内部に、空洞が形成されていると共に、電極部の一部を保持する保持壁が形成されていることにより、保持部材に形成された空洞によって誘電率の最も低い空気空間を電極部間に形成することができ、このため、より一層、受信性能の高いものを得ることができると共に、重量も更に軽くすることができるほか、特に保持部材内に空洞を設けても、保持壁によって電極部を安定させた状態で保持部材に固定することができ、これにより電極部の変形を防ぐことができるので、受信性能の安定したものを得ることができる。
【００１７】
請求項３に記載の発明によれば、電極部がアンテナ電極とグランド電極とを備え、これらが保持部材の異なる面に所定距離を隔ててそれぞれ固定されていることにより、アンテナ電極とグランド電極とからなる電極部によって、受信性能を向上させることができると共に受信性能を安定させることができるほか、特にアンテナ電極とグランド電極とを個別に保持部材に固定することにより、電極部の製造のばらつきや、組み込み時における電極部の変形を軽減することができ、これにより電極部を保持部材に精度良く固定することができると共に、安定した受信性能を確保することができる。
【００１８】
請求項４に記載の発明によれば、保持部材の外表面に傾斜面が形成され、この傾斜面にも電極装着部が設けられていることにより、保持部材の傾斜面に設けられた電極装着部に電極部を嵌着させて固定することができ、この状態で腕時計ケースなどの携帯型の機器ケース内にアンテナ装置を組み込むときに、保持部材の傾斜面を機器ケースの外側に向けやすくすることができるので、保持部材の傾斜面に固定された電極部を確実に且つ良好に機器ケースの外側に向けることができ、これによりアンテナ装置における電波の指向性を高めることができ、これによっても受信性能を高めることができる。
【００１９】
請求項５に記載の発明によれば、電極部が渦巻き形状に形成されていることにより、保持部材を小さく形成して電極部の設置面積を狭くしても、アンテナとしての電極部の全長を十分に長くすることができ、このため保持部材を小さく形成しても、受信性能を最大限に高めることができると共に、装置全体の小型化をも図ることができる。
【００２０】
請求項６に記載の発明によれば、保持部材がその両端部をそれぞれ斜めに切り落として平面形状がほぼ台形状に形成されていることにより、例えば腕時計ケースなどの機器ケースの内周面に形成されたアンテナ収納部に収納して、機器ケースの下面に裏蓋をビスによって取り付けるときに、ビスを保持部材の両端部から十分に離して取り付けることができ、これによりビスによる電波障害を軽減することができるので、これによっても受信性能を高めることができると共に、装置全体の小型化をも図ることができる。
【００２１】
請求項７に記載の発明によれば、保持部材には、機器ケースの内周面に形成されたアンテナ収納部内に保持部材を浮かした状態で位置決めする位置決め部が設けられていることにより、この位置決め部によって保持部材を機器ケースのアンテナ収納部内に浮かした状態で取り付けることができるので、アンテナ装置の周囲に誘電率の最も低い空気空間を設けることができる。このため、アンテナ装置の受信性能を更に高めることができると共に、アンテナ装置がアンテナ収納部内に浮いていることにより、外部からの衝撃が加わっても保持部材および電極部の変形を防ぐことができ、これにより安定した受信性能を確保することができると共に、耐衝撃性の高いものを得ることができる。
【００２２】
請求項８に記載の発明によれば、誘電体からなる保持部材の外表面に金属材料からなる薄板状の電極部を設けるときに、保持部材の外表面に凹部形状に形成された電極装着部に電極部を圧入により嵌着させて固定するので、両面接着テープや接着剤を用いずに、簡単に電極部を圧入により保持部材の電極装着部に嵌着させて固定することができる。このため、従来例のようにコアにコイルを巻き付けた構成のアンテナ装置に比べて、その製作が簡単で重量も軽いばかりか、誘電率の変化が激しい両面接着テープや接着剤を用いていないので、受信性能の高いものを得ることができる。
【００２３】
請求項９に記載の発明によれば、電極部がアンテナ電極とグランド電極と備え、これらアンテナ電極とグランド電極とを保持部材の異なる面に所定距離を隔ててそれぞれ個別に固定するので、アンテナ電極とグランド電極とを別々に保持部材に固定することができ、このため電極部の製造のばらつきや、組み込み時における電極部の変形を軽減することができ、これにより電極部を保持部材に精度良く固定することができるので、安定した受信性能を確保することができる。
【発明を実施するための最良の形態】
【００２４】
（実施形態１）
以下、図１〜図７を参照して、この発明のアンテナ装置を電子腕時計に適用した実施形態１について説明する。
図１はこの発明を適用した電子腕時計の要部を示した斜視図、図２はそのＡ−Ａ矢視における拡大断面図、図３は図２のアンテナ装置を示した拡大平面図である。
この電子腕時計は、図１および図２に示すように、合成樹脂製の腕時計ケース１を備えている。この腕時計ケース１は、１２時側と６時側との外周部にバンド取付部２が設けられ、このバンド取付部２に時計バンド（図示せず）が取り付けられ、この時計バンドによって腕に着脱可能に取り付けられるように構成されている。
【００２５】
この腕時計ケース１の上部には、図２に示すように、時計ガラス３が取り付けられている。また、この腕時計ケース１の内部には、時計モジュール４が配置されていると共に、１２時側のバンド取付部２に位置する腕時計ケース１の内周部にアンテナ収納部５が形成され、このアンテナ収納部５内にＧＰＳ（グローバル・ポジショニング・システム）用のアンテナ装置６が収納されている。さらに、この腕時計ケース１の下部には、裏蓋７が防水リング８を介して取り付けられている。
【００２６】
この場合、裏蓋７は、図２に示すように、腕時計ケース１の下面全体に対応して配置される樹脂部７ａと、アンテナ装置６の下側に対応する部分を除いて樹脂部７ａに一体に形成された金属部７ｂとからなり、この金属部７ｂで腕からの静電気をシールドすると共に、この金属部７ｂによる影響を受けずに斜め下方からの電波をも取り込めるように構成されている。また、時計モジュール４は、時計機能およびＧＰＳに必要な各種の電子部品を備え、時刻情報を表示するほか、アンテナ装置６で受信した電波情報に基づいてＧＰＳ情報をも表示するように構成されている。
【００２７】
アンテナ装置６は、超小型のチップ誘電体アンテナであり、図２〜図７に示すように、ＡＢＳ樹脂などの合成樹脂製の誘電体からなるほぼ箱状の保持部材１０と、この保持部材１０の外表面に配置される銅系の金属材料からなる薄板状の電極部１１とを備え、これら全体がチップ形状に形成されている。すなわち、保持部材１０は、図３および図４に示すように、長方形の箱状に形成されており、その上下に対向する長方形の外表面には、電極部１１が装着する電極装着部１２が形成されている。
【００２８】
この電極装着部１２は、薄板状の電極部１１の厚みとほぼ同じ深さの凹部形状に形成され、薄板状の電極部１１が圧入により嵌着して固定されるように構成されている。また、保持部材１０の内部は、図４に示すように、空洞１３が形成されていると共に、電極部１１の一部、つまり電極部１１の中間部分を保持するための保持壁１４が空洞１３内における所定箇所（図４では中間部）に位置して形成されている。
【００２９】
一方、電極部１１は、図４〜図６に示すように、アンテナ電極１５とグランド電極１６とを備え、これらが保持部材１０の電極装着部１２にそれぞれ圧入により嵌着され、これによりアンテナ電極１５とグランド電極１６とが保持部材１０の相反する面に互いに所定距離を隔ててそれぞれ固定されている。すなわち、この電極部１１は、図３および図４に示すように、アンテナ電極１５とグランド電極１６との各周縁部が電極装着部１２の内周面に圧接した状態で固定されると共に、アンテナ電極１５とグランド電極１６との各中間部分が保持壁１４に圧接して保持され、この状態で電極装着部１２内に安定して固定されるように構成されている。
【００３０】
この場合、アンテナ電極１５は、銅系の金属材料で薄板状に形成され、保持部材１０の一面（図４では上面）に形成された電極装着部１２に嵌着して、アンテナ電極１５の中間部が保持壁１４に保持された状態で固定されている。グランド電極１６は、アンテナ電極１５と同様、銅系の金属材料で薄板状に形成され、アンテナ電極１５に対向する保持部材１０の他面（図４では下面）に形成された電極装着部１２に嵌着して、グランド電極１６の中間部が保持壁１４に保持された状態で固定されている。
【００３１】
また、このアンテナ装置６は、図２および図７に示すように、アンテナ電極１５とグランド電極１６とからなる電極部１１が保持部材１０の側面から延出されて腕時計ケース１内の時計モジュール４に電気的に接続されている。さらに、このアンテナ装置６は、図７に示すように、受信性能に影響が及ばない程度の距離Ｓを隔てビス１７によって時計モジュール４に仮固定されている。なお、このアンテナ装置６は、必ずしもビス１７で時計モジュール４に仮固定される必要はなく、腕時計ケース１に仮固定されていても良い。
【００３２】
このような電子腕時計のアンテナ装置６によれば、合成樹脂製の誘電体でほぼ箱状に形成された保持部材１０と、この保持部材１０の外表面に配置される銅系の金属材料で薄板状に形成された電極部１１とを備え、これら全体がチップ形状に形成されているので、全体をコンパクトに構成することができるばかりか、幅広い周波数の電波に対応することができ、これにより人工衛星などからの電波を受信しやすく、居場所を特定するＧＰＳ用として良好に用いることができる。
【００３３】
この場合、特に保持部材１０の外表面にアンテナ装着部１２を凹部形状に形成し、このアンテナ装着部１２に電極部１１を圧入により嵌着させて固定しているので、両面接着テープや接着剤を用いずに、圧入により簡単に電極部１１を保持部材１０のアンテナ装着部１２に固定することができる。このため、従来例のようにコアにコイルを巻き付けた構成のアンテナ装置に比べて、その製作が簡単で重量も軽いばかりか、特に誘電率の変化が激しい両面接着テープや接着剤を用いていないので、受信性能の高いものを得ることができる。
【００３４】
また、この保持部材１０の内部には、空洞１３が形成されていると共に、電極部１１の中間部を保持する保持壁１４が空洞１３内の所定箇所つまり空洞１３内の中間部分に位置して形成されていることにより、保持部材１０の空洞１３によって誘電率の最も低い空気空間を電極部１１の間、つまりアンテナ電極１５とグランド電極１６との間に形成することができる。このため、より一層、受信性能の高いものを得ることができると共に、重量を更に軽くすることができるばかりか、保持部材１０内に空洞１３を設けても、保持壁１４によって電極部７を安定させた状態で保持部材１０に確実に固定することができるので、電極部１１の変形を防ぐことができ、これにより安定した受信性能を確保することができる。
【００３５】
また、電極部１１は、アンテナ電極１５とグランド電極１６とを備え、これらを保持部材１０の異なる面、つまり保持部材１０の上面と下面とに所定距離を隔ててそれぞれ固定しているので、アンテナ電極１５とグランド電極１６とからなる電極部１１によって、受信性能を向上させることができると共に受信性能を安定させることができる。この場合、アンテナ電極１５とグランド電極１６とを個別に保持部材１０に固定することにより、電極部１１の製造のばらつきや、組み込み時における電極部１１の変形を軽減することができ、これによっても電極部１１を保持部材１０に精度良く固定することができるので、安定した受信性能を確保することができる。特に、受信性能を調整する必要が生じた場合には、保持部材１０の形状、例えば厚みや大きさを調節することにより、容易に受信性能を調整することができる。
【００３６】
さらに、このアンテナ装置６では、電極部１１が、図７に示すように、アンテナ装置６の受信性能に影響を及ぼさない程度の距離Ｓを隔てビス１７によって時計モジュール４（または腕時計ケース１）に仮固定されているので、アンテナ装置６が位置ずれを起こさないように、確実に且つ良好にアンテナ装置６を固定することができ、これによっても、ＧＰＳ用のアンテナ装置６として、受信性能を安定させることができる。
【００３７】
この場合、特にアンテナ装置６は、１２時側のバンド取付部２に位置する腕時計ケース１の内周部に形成されたアンテナ収納部５内に収納されているので、受信性能に影響を及ぼす電子部品や金属部品からアンテナ装置６を十分に離すことができると共に、腕時計ケース１を腕に取り付けて時計モジュール４の表示を見るときに、アンテナ装置６を使用者の体と反対側に位置させることができるので、アンテナ装置６が使用者の体による影響を受けにくくすることができ、このため６時側に設けた場合に比べて、受信性能を高めることができる。
【００３８】
（実施形態２）
次に、図８〜図１０を参照して、この発明のアンテナ装置を電子腕時計に適用した実施形態２について説明する。なお、図１〜図７に示された実施形態１と同一部分には同一符号を付して説明する。
この電子腕時計は、アンテナ装置２０の全体形状が実施形態１と異なる構成で、これ以外は実施形態１とほぼ同じ構成になっている。
【００３９】
すなわち、このアンテナ装置２０は、実施形態１と同様、超小型のチップ誘電体アンテナであり、図８に示すように、腕時計ケース１の１２時側に位置する内周部に形成されたアンテナ収納部５内に収納されている。また、このアンテナ装置２０は、図９および図１０に示すように、ＡＢＳ樹脂などの合成樹脂製の誘電体からなるほぼ三角柱状の保持部材２１と、この保持部材２１の外表面に配置される銅系の金属材料からなる薄板状の電極部２２とを備え、これら全体がチップ形状に形成されている。
【００４０】
この場合、保持部材２１は、図９および図１０に示すように、断面形状がほぼ直角三角形で、全体が柱状に形成され、その直角部に対向する外表面が傾斜面２３に形成され、この傾斜面２３を腕時計ケース１の外部側に向けた状態でアンテナ収納部５内に配置されるように構成されている。また、この保持部材２１の外表面、つまり傾斜面２３とこれに隣接する水平な底面２４とには、電極部２２が装着する電極装着部２５がそれぞれ凹部形状に形成されている。
【００４１】
一方、電極部２２は、実施形態１と同様、アンテナ電極１５とグランド電極１６とを備え、これらが保持部材２１の各電極装着部２５にそれぞれ圧入により嵌着され、これによりアンテナ電極１５とグランド電極１６とが互いに所定距離を隔てて保持部材２１に固定されている。すなわち、アンテナ電極１５は、銅系の金属材料で薄板状に形成され、保持部材２２の傾斜面２３に形成された電極装着部２５に嵌着されて固定されている。また、グランド電極１６は、アンテナ電極１５と同様、銅系の金属材料で薄板状に形成され、アンテナ電極１５に隣接する保持部材２１の水平な底面２４に形成された電極装着部２５に嵌着されて固定されている。
【００４２】
このような電子腕時計のアンテナ装置２０によれば、実施形態１と同様の作用効果があるほか、特に保持部材２１がＡＢＳ樹脂などの合成樹脂製の誘電体によってほぼ直角三角形の柱状に形成され、これにより直角部に対向する外表面が傾斜面２３に形成され、この傾斜面２３にも電極装着部２５が設けられているので、保持部材２１の傾斜面２３に設けられた電極装着部２５に電極部２２のアンテナ電極１５を圧入により嵌着させて固定することができる。
【００４３】
このため、腕時計ケース１の内周面に形成されたアンテナ収納部５内にアンテナ装置２０を組み込むときに、保持部材２１の傾斜面２３を腕時計ケース１の外側に向けやすくすることができるので、保持部材２１の傾斜面２３に固定された電極部２２のアンテナ電極１５全体を確実に且つ良好に腕時計ケース１の外側に向けることができ、これによりアンテナ装置２０における電波の指向性を高めることができ、これによってもアンテナ装置２０の受信性能を高めることができる。
【００４４】
（実施形態３）
次に、図１１〜図１４を参照して、この発明のアンテナ装置を電子腕時計に適用した実施形態３について説明する。この場合には、図８〜図１０に示された実施形態２と同一部分に同一符号を付して説明する。
この電子腕時計は、アンテナ装置３０の形状および構造が実施形態２と異なる構成で、これ以外は実施形態２とほぼ同じ構成になっている。
【００４５】
すなわち、このアンテナ装置３０は、実施形態２と同様、超小型のチップ誘電体アンテナであり、図１３に示すように、ＡＢＳ樹脂などの合成樹脂製の誘電体によってほぼ直角三角形の柱状に形成された保持部材３１と、この保持部材３１の外表面に配置される銅系の金属材料からなる薄板状の電極部３２とを備え、これら全体がチップ形状に形成されている。この場合、ほぼ直角三角形の柱状に形成された保持部材３１は、図１３および図１４に示すように、その両端部がそれぞれ斜めに切り落とされ、これにより全体の形状が上方から見て図１４に示すようにほぼ台形状に形成されている。
【００４６】
この保持部材３１は、実施形態２と同様、その直角部に対向する外表面が傾斜面３３に形成され、この傾斜面３３を図１２に示すように腕時計ケース１の外部側に向けた状態でアンテナ収納部５内に配置されるように構成されている。また、この保持部材２１の外表面、つまり傾斜面３３とこれに隣接する水平な底面３４とには、電極部３２が装着する電極装着部３５がそれぞれ形成されている。電極部３２は、実施形態２と同様、アンテナ電極３６とグランド電極３７とを備え、これらが保持部材３１の各電極装着部３５にそれぞれ嵌着され、これによりアンテナ電極３６とグランド電極３７とが保持部材３１の異なる面に互いに所定距離を隔ててそれぞれ固定されている。
【００４７】
この場合、アンテナ電極３６とグランド電極３７とのうち、アンテナ電極３６は、銅系の金属材料からなる薄板に渦巻き状の溝３６ａを形成することにより、全体が渦巻き形状に形成され、この状態で保持部材３１の傾斜面３３に形成された電極装着部３５に嵌着して固定されている。グランド電極３７は、アンテナ電極３６と同様、銅系の金属材料で薄板状に形成され、アンテナ電極３６に隣接する保持部材３１の水平な底面３４に形成された電極装着部３５に嵌着されて固定されている。
【００４８】
このような電子腕時計のアンテナ装置３０によれば、実施形態２と同様の作用効果があるほか、特に電極部３２のアンテナ電極３６が、銅系の金属材料からなる薄板に渦巻き状の溝３６ａを形成することにより、アンテナ電極３６全体が渦巻き形状に形成され、この状態で保持部材３１の傾斜面３３に形成された電極装着部３５に固定されているので、保持部材３１を小さく形成して電極部３２の設置面積が狭くなっても、アンテナとしての電極部３２の全長を十分に長くすることができ、このため保持部材３１を小さく形成しても、受信性能を最大限に高めることができると共に、装置全体の小型化をも図ることができる。
【００４９】
この場合、特にアンテナ装置３０の保持部材３１は、ＡＢＳ樹脂などの合成樹脂製の誘電体によってほぼ直角三角形の柱状に形成されていると共に、その両端部がそれぞれ斜めに切り落とされ、これにより全体が上面から見てほぼ台形状に形成されているので、図１１および図１２に示すように、腕時計ケース１の１２時側に位置する内周部に形成されたアンテナ収納部５内に収納して、腕時計ケース１の下面に裏蓋７をビス３８で取り付けるときに、アンテナ装置３０の両端部をビス３８から十分に離すことができ、これによりアンテナ装置３０がビス３８の影響を受けないようにすることができるので、これによってもアンテナ装置３０の受信性能を高めることができる。
【００５０】
また、アンテナ装置３０の保持部材３１は、その両端部がそれぞれ斜めに切り落とされ、これにより全体が上面から見てほぼ台形状に形成されていることにより、装置全体の小型化をも図ることができると共に、図１１に示すように、１２時側のバンド取付部２に位置する腕時計ケース１の内周部に形成されたアンテナ収納部５内にアンテナ装置３０をコンパクトに収納することができる。
【００５１】
このため、アンテナ装置３０を腕時計ケース１のアンテナ収納部５内に収納しても、バンド取付部２を先端側に向けて狭くなる形状に形成することができ、これによりバンド取付部２を滑らかな形状に形成することができるので、腕時計ケース１の形状の自由度を高めることができ、これにより腕時計ケース１の外観的およびデザイン的な向上を図ることができる。
【００５２】
（実施形態４）
次に、図１５〜図１７を参照して、この発明のアンテナ装置を電子腕時計に適用した実施形態４について説明する。この場合には、図１１〜図１４に示された実施形態３と同一部分に同一符号を付して説明する。
この電子腕時計は、アンテナ装置４０の保持部材３１に位置決め部４１および位置決めボス４３を設けた構成で、これ以外は実施形態３とほぼ同じ構成になっている。
【００５３】
すなわち、この保持部材３１は、実施形態３と同様、ＡＢＳ樹脂などの合成樹脂製の誘電体によってほぼ直角三角形の柱状に形成されていると共に、その両端部がそれぞれ斜めに切り落とされ、これにより全体の形状が上方から見てほぼ台形状に形成されている。また、この保持部材３１の両端部には、図１６および図１７に示すように、アンテナ装置４０を腕時計ケース１の１２時側に位置する内周面に形成されたアンテナ収納部５内に位置決めするための位置決め部４１が鍔状に突出して形成されている。
【００５４】
この位置決め部４１は、図１６に示すように、腕時計ケース１のアンテナ収納部５に設けられた位置決め凹部４２に挿入して取り付けられることにより、アンテナ装置４０をアンテナ収納部５内に浮かした状態で保持するように構成されている。また、保持部材３１の所定箇所、つまり保持部材３１の上面および傾斜面３３には、図１７に示すように、電極部３２のアンテナ電極３６を位置決めするための位置決めボス４３が設けられている。すなわち、この位置決めボス４３は、アンテナ電極３６の渦巻き状の溝３６ａに挿入することにより、アンテナ電極３６を保持部材３１に対し位置決めして固定するように構成されている。
【００５５】
このような電子腕時計のアンテナ装置４０によれば、実施形態３と同様の作用効果があるほか、特に保持部材３１の両端部に位置決め部４１を設け、この位置決め部４１を腕時計ケース１のアンテナ収納部５の位置決め凹部４２に挿入させることにより、アンテナ装置４０をアンテナ収納部５内に浮かした状態で取り付けることができる。このため、アンテナ装置４０の周囲に誘電率の最も低い空気空間を設けることができ、これによりアンテナ装置４０の受信性能を更に高めることができると共に、アンテナ装置４０がアンテナ収納部５内に浮いていることにより、外部からの衝撃が加わっても保持部材３１および電極部３２の変形を防ぐことができ、これにより安定した受信性能を確保できると共に、耐衝撃性の高いものを得ることができる。
【００５６】
また、このアンテナ装置４０では、保持部材３１の所定箇所に位置決めボス４３が設けられているので、この位置決めボス４３によって電極部３２のアンテナ電極３６とグランド電極３７とのうち、特にアンテナ電極３６を保持部材３１の所定箇所に位置決めして固定することができるので、アンテナ電極３６が渦巻き形状に形成されていても、確実に且つ良好にアンテナ電極３６を保持部材３１の電極装着部３５に嵌着させて固定することができ、これによりアンテナ電極３６の変形を防ぐことができるので、アンテナ装置４０の受信性能を更に安定させることができる。
【００５７】
なお、上記実施形態２〜４では、保持部材２１、３１をほぼ直角三角形の柱状に形成した場合について述べたが、これに限らず、保持部材２１、３１の内部に、実施形態１と同様、空洞を形成すると共に、電極部２２、３２の一部を保持する保持壁を形成した構成でも良い。
【００５８】
このように構成すれば、実施形態１と同様、空洞によって誘電率の最も低い空気空間を形成することができるので、より一層、受信性能の高いものを得ることができると共に、重量をも更に軽くすることができるほか、保持壁によって電極部２２、３２を安定させた状態で保持部材２１、３１に固定することができるので、保持部材２１、３１の内部に空洞を形成しても、電極部２２、３２の変形を防ぐことができ、これにより安定した受信性能を確保することができる。
【００５９】
また、上記実施形態２〜４では、保持部材２１、３１を断面形状がほぼ直角三角形で全体が柱状をなす形状に形成した場合について述べたが、保持部材２１、３１は必ずしも断面形状がほぼ直角三角形である必要はなく、断面形状がほぼ台形であっても良く、要は保持部材の外表面に傾斜面を有する形状であれば、どのような形状であっても良い。
【００６０】
さらに、上記実施形態１〜４では、電子腕時計に適用した場合について述べたが、必ずしも電子腕時計である必要はなく、携帯電話機やＰＤＡ（パーソナル・デジタル・アシスタント）などの携帯型の電子機器に広く適用することができる。
【図面の簡単な説明】
【００６１】
【図１】この発明を適用した電子腕時計の要部を示した斜視図である。(実施形態１)
【図２】図１のＡ−Ａ矢視における拡大断面図である。
【図３】図２のアンテナ装置を拡大した平面図である。
【図４】図３のＢ−Ｂ矢視における断面図である。
【図５】図４のＣ−Ｃ矢視における断面図である。
【図６】図５を分解した断面図である。
【図７】図４のアンテナ装置を仮固定する状態を示した断面図である。
【図８】この発明を適用した電子腕時計の要部を示した拡大断面図である。(実施形態２)
【図９】図８のアンテナ装置を拡大した平面図である。
【図１０】図９のＤ−Ｄ矢視における断面図である。
【図１１】この発明を適用した電子腕時計の要部を示した平面図である。(実施形態３)
【図１２】図１１のＥ−Ｅ矢視における拡大断面図である。
【図１３】図１２のアンテナ装置を拡大して示した斜視図である。
【図１４】図１３のアンテナ装置を上方から見た平面図である。
【図１５】この発明を適用した電子腕時計の要部を示した斜視図である。(実施形態４)
【図１６】図１１のＦ−Ｆ矢視における拡大断面図である。
【図１７】図１６のアンテナ装置を示した斜視図である。
【符号の説明】
【００６２】
１  腕時計ケース
２  バンド取付部
３  時計ガラス
４  時計モジュール
５  アンテナ収納部
６、２０、３０、４０  アンテナ装置
７  裏蓋
１０、２１、３１  保持部材
１１、２２、３２  電極部
１２、２５、３５  電極装着部
１３  空洞
１４  保持壁
１５、３６  アンテナ電極
１６、３７  グランド電極
１７、３８  ビス
２３、３３  傾斜面
２４、３４  底面
４１  位置決め部
４３  位置決めボス
【図１】
2006287369.tif 000003
【図２】
2006287369.tif 000004
【図３】
2006287369.tif 000005
【図４】
2006287369.tif 000006
【図５】
2006287369.tif 000007
【図６】
2006287369.tif 000008
【図７】
2006287369.tif 000009
【図８】
2006287369.tif 000010
【図９】
2006287369.tif 000011
【図１０】
2006287369.tif 000012
【図１１】
2006287369.tif 000013
【図１２】
2006287369.tif 000014
【図１３】
2006287369.tif 000015
【図１４】
2006287369.tif 000016
【図１５】
2006287369.tif 000017
【図１６】
2006287369.tif 000018
【図１７】
2006287369.tif 000019